(57)【要約】【課題】本考案は、種々の外形を有する記憶媒体の格納を可能とするとともに、記憶媒体取扱装置の携帯性を向上させることを目的とする。【解決手段】記憶媒体との間でデータのやりとりをおこなう記憶媒体取扱装置は、記憶媒体を載置可能な記憶媒体載置面を有する筺体と、記憶媒体を装着可能な記憶媒体装着部と、記憶媒体載置面との間に記憶媒体を挟持可能な蓋板と、を備える記憶媒体取扱装置。【選択図】図１
0003136569.tif 000002
【実用新案登録請求の範囲】
【請求項１】
記憶媒体との間でデータのやりとりをおこなう記憶媒体取扱装置であって、
前記記憶媒体を載置可能な記憶媒体載置面を有する筺体と、
前記記憶媒体を装着可能な記憶媒体装着部と、
前記記憶媒体載置面との間に前記記憶媒体を挟持可能な蓋板と、を備える記憶媒体取扱装置。
【請求項２】
請求項１に記載の記憶媒体取扱装置において、
前記蓋板は前記筺体に開閉自在に接続されている記憶媒体取扱装置。
【請求項３】
請求項２に記載の記憶媒体取扱装置はさらに、
前記蓋板を前記筺体に接続する接続部材を備える記憶媒体取扱装置。
【請求項４】
請求項１ないし請求項３のいずれか１の請求項に記載の記憶媒体取扱装置において、
前記蓋板の前記記憶媒体を挟持可能な面と、前記記憶媒体載置面の少なくとも一方に緩衝材を備える記憶媒体取扱装置。
【請求項５】
請求項４に記載の記憶媒体取扱装置において、
前記緩衝材は、孔を有する記憶媒体取扱装置。
【請求項６】
請求項１ないし請求項５のいずれか１の請求項に記載の記憶媒体取扱装置において、
前記蓋板は、通気孔を有する記憶媒体取扱装置。
【請求項７】
請求項４ないし請求項６のいずれか１の請求項に記載の記憶媒体取扱装置において、
前記緩衝材は、構成の一部もしくは全部がエチレン−酢酸ビニル共重合体よりなる記憶媒体取扱装置。
【請求項８】
請求項１ないし請求項７のいずれか１の請求項に記載の記憶媒体取扱装置において、
前記記憶媒体はフラッシュメモリカードである記憶媒体取扱装置。
【請求項９】
記憶媒体との間でデータのやりとりをおこなう記憶媒体取扱装置であって、
前記記憶媒体を装着可能な記憶媒体装着部を有する筺体と、
前記記憶媒体を載置可能な記憶媒体載置面と蓋板とを有し、前記記憶媒体載置面と前記蓋板により前記記憶媒体を挟持可能であり、前記筺体に脱着可能な格納部と、を備える記憶媒体取扱装置。
【考案の詳細な説明】
【技術分野】
【０００１】
本考案は、記憶媒体との間でデータのやりとりをおこなう記憶媒体取扱装置に関する。
【背景技術】
【０００２】
従来から、各種異なる規格の記憶媒体に対して読み書きが可能な記憶媒体取扱装置が実用化されている。また、記憶媒体を持ち運ぶ時の利便性のために、非使用時の記憶媒体を格納可能な記憶媒体取扱装置が知られている（特許文献１参照）。
【０００３】
【特許文献１】実用新案登録第３０９４０９７号
【考案の開示】
【考案が解決しようとする課題】
【０００４】
しかし、従来の記憶媒体取扱装置の格納部は、記憶媒体を凹状の型に嵌め込むことにより格納するため、格納可能な記憶媒体の種類が限定されてしまい、利便性に劣る。また、複数の異なる外形を有する記憶媒体を格納するために種々の型を備えると、格納部が増大して記憶媒体取扱装置の外殻が大きくなり、携帯性に劣る問題があった。
【０００５】
本考案は、上記した従来の課題の少なくとも一部を解決するためになされた考案であり、種々の外形を有する記憶媒体の格納を可能とするとともに、記憶媒体取扱装置の携帯性を向上させることを目的とする。
【課題を解決するための手段】
【０００６】
上記課題の少なくとも一部を解決するための本願考案は以下の態様を採る。
【０００７】
本考案の第１の態様は、記憶媒体との間でデータのやりとりをおこなう記憶媒体取扱装置を提供する。本考案の第１の態様に係る記憶媒体取扱装置は、前記記憶媒体を載置可能な記憶媒体載置面を有する筺体と、前記記憶媒体を装着可能な記憶媒体装着部と、前記記憶媒体載置面との間に前記記憶媒体を挟持可能な蓋板と、を備える。
【０００８】
本考案の第１の態様に係る記憶媒体取扱装置によれば、種々の記憶媒体を外形によることなく、記憶媒体載置面と蓋板により挟持できることから、外形の異なる記憶媒体ごとに対応した格納部を設ける必要がない。これにより、種々の記憶媒体を格納することが可能であっても格納部を小さくすることができ、記憶媒体取扱装置の外殻の大きさを抑制して携帯性を向上させることができる。
【０００９】
本考案の第１の態様に係る記憶媒体取扱装置において、前記蓋板は前記筺体に開閉自在に接合されていてもよい。この場合、蓋板は接合部を軸に開閉可能となり、閉じた状態において記憶媒体載置面との間に記憶媒体を挟持することができる。
【００１０】
本考案の第１の態様に係る記憶媒体取扱装置はさらに、前記蓋板を前記筺体に接続する接続部材を備えてもよい。この場合、蓋板と筺体を別々に成形した後、接合部材を用いて接合させることができる。
【００１１】
本考案の第１の態様に係る記憶媒体取扱装置において、前記蓋板の前記記憶媒体を挟持可能な面と、前記記憶媒体載置面の少なくとも一方に緩衝材を備えてもよい。この場合、緩衝材により、蓋板と記憶媒体載置面との間に挟持された記憶媒体を衝撃などから保護することができる。
【００１２】
本考案の第１の態様に係る記憶媒体取扱装置において、前記緩衝材は、孔を有してもよい。この場合、蓋板と記憶媒体載置面との間に挟持された記憶媒体が、蓋板もしくは記憶媒体載置面に圧着されることを防ぎ、記憶媒体の取り出しを容易にすることができる。
【００１３】
本考案の第１の態様に係る記憶媒体取扱装置において、前記蓋板は、通気孔を有してもよい。この場合、蓋板の具有する一方の面から他方の面への放熱が可能となり、蓋板と記憶媒体載置面との間に挟持された記憶媒体を熱から保護することができる。
【００１４】
本考案の第１の態様に係る記憶媒体取扱装置において、前記緩衝材は、構成の一部もしくは全部がエチレン−酢酸ビニル共重合体よりなってもよい。この場合、柔軟性のあるエチレン−酢酸ビニル共重合体により蓋板と記憶媒体載置面との間に挟持された記憶媒体を衝撃から保護することができる。
【００１５】
本考案の第１の態様に係る記憶媒体取扱装置において、前記記憶媒体とはフラッシュメモリカードであってもよい。この場合、種々のフラッシュメモリカードを外形によることなく、記憶媒体載置面と蓋板により挟持できることから、外形の異なるフラッシュメモリカードごとに対応した格納部を設ける必要がない。これにより、種々のラッシュメモリカードを格納することが可能であっても格納部を小さくすることができ、記憶媒体取扱装置の外殻の大きさを抑制して携帯性を向上させることができる。
【００１６】
本考案の第２の態様は、記憶媒体との間でデータのやりとりをおこなう記憶媒体取扱装置を提供する。本考案の第２の態様に係る記憶媒体取扱装置は、前記記憶媒体を装着可能な記憶媒体装着部を有する筺体と、前記記憶媒体を載置可能な記憶媒体載置面と蓋板とを有し、前記記憶媒体載置面と前記蓋板により前記記憶媒体を挟持可能であり、前記筺体に脱着可能な格納部と、を備える。
【００１７】
本考案の第２の態様に係る記憶媒体取扱装置によれば、種々の記憶媒体を挟持により格納可能な格納部を備えていることから、外形の異なる記憶媒体ごとに対応した格納部を設ける必要がない。また、筺体と接合されて、一体的に持ち運びが可能なことから、携帯性を向上させることができる。
【考案を実施するための最良の形態】
【００１８】
以下、本考案に係る記憶媒体取扱装置について、図面を参照しつつ、実施例に基づいて説明する。
【００１９】
・記憶媒体取扱装置の概略構成：
図１は本実施例に係る記憶媒体取扱装置の蓋板を開けた状態を示す説明図である。図２は本実施例に係る記憶媒体取扱装置の蓋板を閉じた状態を示す説明図である。本実施例に係る記憶媒体取扱装置１００は、記憶媒体を取り込み、パソコンなどの外部機器との間でデータのやりとりをおこなう装置である。記憶媒体取扱装置１００は、筺体１１０と、蓋板１２０と、接合部１３０とを備えている。筺体１１０と蓋板１２０は、接合部１３０により接合されている。蓋板１２０は、接合部１３０を軸として開閉可能である。蓋板１２０の開閉の動作については後に詳述する。
【００２０】
筺体１１０は略直方体の形状を有し、内部にデータ処理モジュール（図示しない）を格納する。筺体１１０は、第１記憶媒体装着部１１１ａと、第２記憶媒体装着部１１１ｂと、筺体外面緩衝材１１２と、筺体外面緩衝材孔１１３と第１嵌合部１１５とを備える。筺体１１０はプラスチック樹脂のほか、アルミニウムなどの金属、その他の材料であってもよい。
【００２１】
第１記憶媒体装着部１１１ａおよび第２記憶媒体装着部１１１ｂは、筺体１１０の側面に配置され、ＳＭ（Ｓｍａｒｔ  Ｍｅｄｉａ）カードやＭＳ（Ｍｅｍｏｒｙ  Ｓｔｉｃｋ）カード、およびＭＭＣ（Ｍｕｌｔｉ  Ｍｅｄｉａ）カードあるいはＳＤ（Ｓｅｃｕｒｅ  Ｄｉｇｉｔａｌ）カードなどの記憶媒体を装着することが可能である。第１記憶媒体装着部１１１ａおよび第２記憶媒体装着部１１１ｂは異なる外形の記憶媒体を装着可能である。
【００２２】
第１記憶媒体装着部１１１ａおよび第２記憶媒体装着部１１１ｂに記憶媒体が装着されると、筺体１１０に格納されたデータ処理モジュールにより、記憶媒体に格納されたデータの読み取り、または、記憶媒体へのデータの書き込みがなされる。筺体１１０は、パソコンなどの外部機器に接続可能な図示しない伝送ワイヤおよびインターフェイスコネクタを有している。データ処理モジュールは、記憶媒体より読み取ったデータを伝送ワイヤおよびインターフェイスコネクタを介して外部機器に送信し、また、記憶媒体に書き込むためのデータを受信することが可能である。
【００２３】
筺体外面緩衝材１１２は、所定の厚みを有した板状を有し、筺体１１０の上面に配置されている。所定の厚みとは、緩衝材として機能するために必要な厚みをいい、用いられる材料などにより異なるが、例えば３ｍｍ〜５ｍｍ程度をいう。
【００２４】
筺体外面緩衝材１１２は、主にエチレン−酢酸ビニル共重合体（ＥＶＡ）により構成されている。筺体外面緩衝材１１２は、エチレン−酢酸ビニル共重合体（ＥＶＡ）の他にも、ウレタンやネオプレイン素材など耐衝撃性や柔軟性など緩衝材としての機能を有する材料で構成されてもよい。筺体外面緩衝材１１２は、筺体外面緩衝材孔１１３を備えている。筺体外面緩衝材孔１１３は筺体外面緩衝材１１２を貫通していてもよいし、貫通していなくてもよい。
【００２５】
第１嵌合部１１５は、筺体１１０の外面上に存在し、蓋板１２０の回動により、蓋板１２０に備えられた後述する第２嵌合部１２５と嵌め合わされるように配置されている。第１嵌合部１１５と第２嵌合部１２５は、例えば、マグネットなど結合可能なものであればよい。
【００２６】
蓋板１２０は、略四角形の形状を有している。蓋板１２０は接合部１３０を回転軸にして回動することで、図２に示すように蓋板１２０を閉じた状態（以後「閉蓋状態」という）とすることができる。蓋板１２０を閉じることにより、蓋板１２０と筺体１１０は、記憶媒体取扱装置１００の外殻として一体的な形状を有する。蓋板１２０は、蓋板緩衝材１２２と、蓋板緩衝材孔１２３と、蓋板通気孔１２４と第２嵌合部１２５とを備える。蓋板１２０は、プラスチック樹脂のほか、アルミニウムなどの金属、その他の材料であってもよい。蓋板１２０は筺体１１０と異なる材料で形成されてもよい。
【００２７】
蓋板緩衝材１２２は、所定の厚みを有した板状を有し、蓋板１２０の回動により筺体外面緩衝材１１２と対向する面に設置されている。所定の厚みとは、緩衝材として機能するために必要な厚みであり、筺体外面緩衝材１１２と同程度であるが、筺体外面緩衝材１１２と同じ厚さである必要はない。
【００２８】
蓋板緩衝材１２２は、主にエチレン−酢酸ビニル共重合体（ＥＶＡ）により構成されている。筺体外面緩衝材１１２は、エチレン−酢酸ビニル共重合体（ＥＶＡ）の他にも、ウレタンやネオプレイン素材など耐衝撃性や柔軟性など緩衝材としての機能を有する材料で構成されてもよい。蓋板緩衝材１２２は筺体外面緩衝材１１２と同じ材料であってもいいし、異なっていてもよい。蓋板緩衝材１２２は、蓋板緩衝材孔１２３を備えている。蓋板緩衝材孔１２３は蓋板緩衝材１２２を貫通していてもよい。
【００２９】
蓋板通気孔１２４は、蓋板１２０の四隅に近接した位置に配置されている。蓋板通気孔１２４は、蓋板１２０の備える一方の面から他方の面への通気を可能としている。第２嵌合部１２５は、蓋板１２０上で、接合部１３０と接する辺と対向する辺に近接して配置される。
【００３０】
接合部１３０は、筺体１１０に対し、蓋板１２０の上下左右への動作を制限し、回転のみを許容する。接合部については様々なものが考えられるが、例えば、筺体１１０と蓋板１２０にそれぞれ凸部と凹部を設け、嵌め合わさることにより蓋板１２０を開閉可能としてもよい。このほかにも、塑性化したプラスチック樹脂などを介して筺体１１０と蓋板１２０とを接合してもよいし、蝶番などの接合部材を用いてもよい。また、筺体１１０と蓋板１２０とを一体的な構成として成形してもよい。
【００３１】
図３は実施例に係る記憶媒体取扱装置の蓋板を閉じた状態の断面を示す説明図である。蓋板１２０は、接合部１３０を回転軸にして回動し、第１嵌合部１１５と第２嵌合部１２５とを嵌め合わせることにより筺体１１０に固定される。
【００３２】
閉蓋状態において、筺体外面緩衝材１１２と蓋板緩衝材１２２は接していてもよいし、離れていてもよい。筺体外面緩衝材孔１１３と蓋板緩衝材孔１２３の形状や配置は、対応した形状や、配置であってもよいし、異なっていてもよい。蓋板通気孔１２４は閉蓋状態時において蓋板１２０と筺体１１０との間に形成された空間と外部との空気の出入りを可能としている。
【００３３】
・記憶媒体取扱装置の動作：
図１に示す状態を「開蓋状態」として記憶媒体取扱装置１００の動作について説明する。図１に示すように、記憶媒体取扱装置１００を開蓋状態にし、第１記憶媒体装着部１１１ａおよび第２記憶媒体装着部１１１ｂに装着可能な記憶媒体のうち、第１記憶媒体装着部１１１ａと第２記憶媒体装着部１１１ｂに装着されていない状態（この状態を「非使用状態」という）の記憶媒体を筺体外面緩衝材１１２上に配置する。
【００３４】
図４は緩衝材上に記憶媒体を配置した状態を示す説明図である。記憶媒体の例として、マイクロＳＤ３００ａとＳＤカード３００ｂを筺体外面緩衝材１１２の上に配置した状態を示す。記憶媒体の筺体外面緩衝材１１２上の配置は、１枚のみでもよいし、複数の記憶媒体を並列もしくは、重ねて配置してもよい。
【００３５】
筺体外面緩衝材孔１１３の孔径は、筺体外面緩衝材１１２の上に配置されるマイクロＳＤ３００ａとＳＤカード３００ｂといった記憶媒体のうち、最も小さいものが落ち込まない大きさである。例えば、８ｍｍ〜１０ｍｍ程度である。孔の形状は円形のみではなく、様々な形状が可能である。蓋板緩衝材孔１２３についても同様である。
【００３６】
図５は記憶媒体が蓋板と筺体の外面により挟持された状態を示す説明図である。蓋板１２０を閉じ、第１嵌合部１１５と第２嵌合部１２５を嵌め合わせて閉蓋状態にすることで記憶媒体３００は筺体外面緩衝材１１２と蓋板緩衝材１２２に挟持され保持される。筺体外面緩衝材１１２と蓋板緩衝材１２２との隙間は、記憶媒体３００の厚みよりも小さいことから、柔軟性のある筺体外面緩衝材１１２と蓋板緩衝材１２２が変形することにより記憶媒体３００を挟持する。
【００３７】
閉蓋状態において筺体外面緩衝材１１２と蓋板緩衝材１２２により挟持された記憶媒体３００は、第１嵌合部１１５と第２嵌合部１２５の嵌め合わせをはずして開蓋状態にすることで取り出すことができる。筺体外面緩衝材孔１１３と蓋板緩衝材孔１２３は、閉蓋状態で記憶媒体３００が筺体外面緩衝材１１２と蓋板緩衝材１２２に圧着されるのを防ぎ、記憶媒体３００の取り出しを容易にすることができる。
【００３８】
以上説明した実施例による記憶媒体取扱装置１００によれば、蓋板１２０と筺体１１０が筺体外面緩衝材１１２と蓋板緩衝材１２２を介して種々の外形を有する記憶媒体を挟持し、格納することができることから、外形の異なる種々の記憶媒体に対応した凹部などの格納部を備える必要がなく、格納部を小さくすることができる。これにより、種々の記憶媒体を格納することが可能であっても、記憶媒体取扱装置の外殻の大きさを抑制して携帯性を向上させることができる。
【００３９】
筺体外面緩衝材１１２と蓋板緩衝材１２２は、柔軟性があり、挟持される記憶媒体の形状に追従して変形することから、種々の外形の記憶媒体を挟持することが可能である。また、記憶媒体は柔軟性のある筺体外面緩衝材１１２と蓋板緩衝材１２２とによって挟持されていることから、記憶媒体取扱装置１００に衝撃が加わっても、筺体外面緩衝材１１２と蓋板緩衝材１２２により記憶媒体３００への衝撃の伝播を低減させることが可能である。
【００４０】
第１嵌合部１１５と第２嵌合部１２５が嵌め合わされて筺体外面緩衝材１１２と蓋板緩衝材１２２は記憶媒体を挟持しているため、記憶媒体取扱装置１００に衝撃が加わっても、開蓋状態になりにくく、記憶媒体３００が放出されて損傷を受ける可能性を低減できる。
【００４１】
蓋板通気孔１２４が、蓋板１２０に備えられていることにより、閉蓋状態時において筺体外面緩衝材１１２と蓋板緩衝材１２２に挟持された記憶媒体３００が格納された空間内部と外部との空気の出入りを可能とし、図示しないデータ処理モジュールなどから発生する熱から記憶媒体３００を保護することができる。
【００４２】
筺体外面緩衝材孔１１３と蓋板緩衝材孔１２３により、記憶媒体３００の取り出しが容易になることで、取り出し時の記憶媒体３００の破損を防ぐことができる。
【００４３】
・変形例：
本考案はその趣旨を逸脱しない範囲において種々の形態で実施可能である。
【００４４】
・変形例１：
図６は変形例に係る記憶媒体取扱装置の状態を示す説明図である。本実施例の記憶媒体取扱装置１００は、筺体１１０に筺体外面緩衝材１１２と、筺体外面緩衝材孔１１３と、第１嵌合部１１５とを備え、蓋板１２０が接合部１３０により接合されている構成とした。しかし、図６に示すように、筺体外面緩衝材１１２と、筺体外面緩衝材孔１１３と、第１嵌合部１１５とを備えた記憶媒体載置部１４０に、蓋板１２０が接合部１３０により接合されている格納部１５０が、筺体１１０に接合される構成としてもよい。これによれば、記憶媒体取扱装置１００の筺体１１０に後から格納部１５０を接合させることができるので、既存の記憶媒体取扱装置についても、格納部１５０を接合させることができる。
【００４５】
・変形例２：
本実施例の記憶媒体取扱装置１００は、第１記憶媒体装着部１１１ａおよび第２記憶媒体装着部１１１ｂに装着された記憶媒体に格納されたデータの読み取りと書き込みが可能なデータ処理モジュールを備えるとしたが、データの読み取りのみもしくは書き込みのみが可能なモジュールを備えてもよい。
【００４６】
・変形例３：
本実施例の記憶媒体取扱装置１００は、第１記憶媒体装着部１１１ａおよび第２記憶媒体装着部１１１ｂの２つの記憶媒体装着部を筺体１１０の側面に備えるとしたが、記憶媒体装着部は１つでもよいし、また、３以上の複数であってもよい。また、筺体１１０の側面以外に配置されてもよい。
【００４７】
・変形例４：
本実施例の記憶媒体取扱装置１００は、外部機器に接続可能な図示しない伝送ワイヤおよびインターフェイスコネクタを筺体１１０に備えるとしたが、インターフェイスコネクタと接続可能なインターフェイスを備えてもよい。
【００４８】
・変形例５：
本実施例の記憶媒体取扱装置１００は、接合部１３０により筺体１１０と接合されている蓋板１２０を備えるとしたが、筺体１１０に脱着可能な蓋板１２０を備えてもよい。
【００４９】
・変形例６：
本実施例の記憶媒体取扱装置１００は、筺体１１０に接合された蓋板１２０を１つ備えるとしたが、蓋板１２０を複数備えてもよい。
【００５０】
・変形例７：
本実施例の記憶媒体取扱装置１００は、略四角形の形状を有する蓋板１２０を備えるとしたが、略円形などその他の形状の蓋板１２０を備えてもよい。
【００５１】
・変形例８：
本実施例の記憶媒体取扱装置１００は、筺体外面緩衝材１１２および蓋板緩衝材１２２に筺体外面緩衝材孔１１３および蓋板緩衝材孔１２３を備えているが、閉蓋状態の後、記憶媒体３００の取り出しを容易にするものであれば、孔でなく突起などを備えてもよい。
【００５２】
・変形例９：
本実施例の記憶媒体取扱装置１００は、蓋板１２０の四隅に蓋板通気孔１２４を備えるとしたが、蓋板と記憶媒体載置面との間に挟持された記憶媒体を熱から保護することができるものであれば蓋板通気孔１２４を四隅以外に備えてもよい。
【図面の簡単な説明】
【００５３】
【図１】本実施例に係る記憶媒体取扱装置の蓋板を開けた状態を示す説明図である。
【図２】本実施例に係る記憶媒体取扱装置の蓋板を閉じた状態を示す説明図である。
【図３】実施例に係る記憶媒体取扱装置の蓋板を閉じた状態の断面を示す説明図である。
【図４】緩衝材上に記憶媒体を配置した状態を示す説明図である。
【図５】記憶媒体が蓋板と筺体の外面により挟持された状態を示す説明図である。
【図６】変形例に係る記憶媒体取扱装置の状態を示す説明図である。
【符号の説明】
【００５４】
１００…記憶媒体取扱装置
１１０…筺体
１１１ａ…第１記憶媒体装着部
１１１ｂ…第２記憶媒体装着部
１１２…筺体外面緩衝材
１１３…筺体外面緩衝材孔
１１５…第１嵌合部
１２０…蓋板
１２２…蓋板緩衝材
１２３…蓋板緩衝材孔
１２４…蓋板通気孔
１２５…第２嵌合部
１３０…接合部
１４０…記憶媒体載置部
１５０…格納部
３００…記憶媒体
【図１】
0003136569.tif 000003
【図２】
0003136569.tif 000004
【図３】
0003136569.tif 000005
【図４】
0003136569.tif 000006
【図５】
0003136569.tif 000007
【図６】
0003136569.tif 000008